(57)【要約】【課題】被写体のより自然な表情や動作、あるいは、斬新なアングルから被写体を撮影し、画枠内の適正な位置に被写体が配置された画像を取得する。【解決手段】被写体の像を結像させる撮影光学系３と、撮影光学系３により結像された被写体の像を撮像する撮像部４と、被写体を検出する被写体検出部５と、撮像部４と撮影光学系３とをその光軸に交差する方向に相対的に並進移動させるシフト機構６ａ〜６ｃを備えるとともに、被写体検出部５により検出された被写体の結像位置を撮像部４により取得される画像内の所定位置に配置する被写体結像位置調整部６とを備え、被写体結像位置調整部６が、被写体検出部５により検出された被写体の位置に基づいて撮像部４と撮影光学系３とを相対的に並進移動させるカメラ１を提供する。【選択図】      図１
2008083074.tif 000002
【特許請求の範囲】
【請求項１】
被写体の像を結像させる撮影光学系と、
該撮影光学系により結像された被写体の像を撮像する撮像部と、
被写体を検出する被写体検出部と、
前記撮像部と前記撮影光学系とをその光軸に交差する方向に相対的に並進移動させるシフト機構を備えるとともに、前記被写体検出部により検出された被写体の結像位置を前記撮像部により取得される画像内の所定位置に配置する被写体結像位置調整部とを備え、
該被写体結像位置調整部が、前記被写体検出部により検出された被写体の位置に基づいて前記撮像部と前記撮影光学系とを相対的に並進移動させるカメラ。
【請求項２】
前記撮像部および前記撮影光学系の位置を固定して、前記被写体結像位置調整部の作動を停止する第１の撮影モードと、前記撮像部と前記撮影光学系との前記並進移動を許容して、前記被写体結像位置調整部を作動させる第２の撮影モードとを切り替えるモード切替部を備える請求項１に記載のカメラ。
【請求項３】
前記撮像部により取得された画像を表示する表示部を備え、
前記第２の撮影モードにおいて、前記表示部への前記画像の表示を停止する請求項２に記載のカメラ。
【請求項４】
前記被写体検出部が、前記撮像部により取得された画像データを処理して被写体を検出する請求項１に記載のカメラ。
【請求項５】
前記被写体検出部が、前記画像データのコントラスト値により被写体を検出する請求項４に記載のカメラ。
【請求項６】
前記被写体検出部が、前記画像データに基づく顔認識処理により被写体を検出する請求項４に記載のカメラ。
【請求項７】
前記被写体検出部が、前記画像データに基づく動体認識処理により被写体を検出する請求項４に記載のカメラ。
【請求項８】
前記被写体検出部が、測距用センサアレイと、該測距用センサアレイに結像された像の位相差を検出する位相差検出部を備え、該位相差検出部による検出結果に基づいて被写体を検出する請求項１に記載のカメラ。
【請求項９】
被写体の像を結像させる撮影光学系と、
該撮影光学系により結像された被写体の像を撮像する撮像部と、
被写体を検出する被写体検出部と、
該被写体検出部により検出された被写体を前記撮像部により取得される画像内の所定位置に配置する被写体位置調整部とを備え、
該被写体結像調整部が、取得された画像から、前記被写体検出部により検出された被写体を含む部分画像を切り出すことにより、被写体を画像内の所定位置に配置するカメラ。
【請求項１０】
前記被写体検出部により検出された被写体の大きさを算出する被写体サイズ算出部を備え、
前記被写体位置調整部が、前記被写体サイズ算出部により算出された被写体の大きさに応じて前記画像から切り出す部分画像の大きさを決定する請求項９に記載のカメラ。
【発明の詳細な説明】
【技術分野】
【０００１】
本発明は、カメラに関するものである。
【背景技術】
【０００２】
従来、カメラ撮影は、撮影者がカメラ本体に備えられたファインダあるいは液晶ディスプレイを介して被写体および画枠を確認しながらレリーズボタンを押すことにより行われる。この場合、手ぶれ防止等の目的から両手でカメラ本体をホールドしている場合のみに撮影を許容するための工夫が考案されている（例えば、特許文献１参照。）。
【特許文献１】特開２００３−３１９２２１号公報
【発明の開示】
【発明が解決しようとする課題】
【０００３】
しかしながら、撮影者がファインダを覗きながら撮影する場合には、撮影者の顔と被写体との間にカメラが介在してしまい、例えば、被写体が人物や動物である場合には、撮影者の表情および視線がカメラにより遮られる。このため、撮影していることを被写体に意識させてしまい、被写体の自然な表情や動作を撮影することができないという不都合がある。
【０００４】
また、カメラ本体に備えられた液晶ディスプレイに表示されている被写体を見ながら撮影を行う場合においても、撮影者の視線が被写体から逸れる結果、同様に、被写体の自然な表情や動作を撮影することができないという不都合がある。
したがって、被写体のより自然な表情や動作を撮影するためには、被写体側から撮影者の視線や表情が見える状態で撮影することが好ましい。
【０００５】
また、被写体が人物や動物である場合に限られず、建造物や風景の場合であっても、撮影者がファインダや液晶ディスプレイを見ながら撮影したのでは得ることのできない斬新なアングルからの画像を容易に取得できるようにすることも望まれている。
【０００６】
本発明は上述した事情に鑑みてなされたものであって、撮影者が被写体から視線を逸らすことなく、被写体側から撮影者の視線や表情が見える状態で撮影し、被写体のより自然な表情や動作を撮影でき、あるいは斬新なアングルから被写体を容易に撮影することができるカメラを提供することを目的としている。
【課題を解決するための手段】
【０００７】
上記目的を達成するために、本発明は以下の手段を提供する。
本発明は、被写体の像を結像させる撮影光学系と、該撮影光学系により結像された被写体の像を撮像する撮像部と、被写体を検出する被写体検出部と、前記撮像部と前記撮影光学系とをその光軸に交差する方向に相対的に並進移動させるシフト機構を備えるとともに、前記被写体検出部により検出された被写体の結像位置を前記撮像部により取得される画像内の所定位置に配置する被写体結像位置調整部とを備え、該被写体結像位置調整部が、前記被写体検出部により検出された被写体の位置に基づいて前記撮像部と前記撮影光学系とを相対的に並進移動させるカメラを提供する。
【０００８】
本発明によれば、撮影光学系により結像された被写体の像が撮像部の作動により画像として取得される。この場合に、被写体検出部が被写体を検出し、被写体結像位置調整部が検出された被写体を画像内の所定位置に配置するので、撮影光学系の光軸方向が撮影したい被写体の方向からずれていても、シフト機構を作動させ撮像部と撮影光学系とを光軸に交差する方向に相対的に並進移動させることにより、撮像部と撮影光学系との相対位置により、被写体を適正な位置に配置した画像を取得することが可能となる。
【０００９】
その結果、例えば、カメラを右手の掌内に納め、親指をレリーズボタンにかけた状態で、撮影光学系をほぼ被写体方向に向けて撮影を行う場合等に、画像内における被写体の位置を確認することなく撮影しても適正な位置に被写体を納めた画像を取得することができる。したがって、撮影者がファインダや液晶ディスプレイを見ずに、被写体から視線を逸らすことなく被写体側から表情が見える状態で撮影を行うことができ、被写体の自然な表情や動作あるいは斬新なアングルからの被写体の画像を取得することが可能となる。
なお、被写体結像位置調整部により、被写体を結像させる画像内の所定位置としては、取得される画像中の中心、３分割法に基づく縦横線の交点、あるいは、顔認識による被写体認識方法の場合には顔全体が画像内に配置される位置等を挙げることができる。
【００１０】
上記発明においては、前記撮像部および前記撮影光学系の位置を固定して、前記被写体結像位置調整部の作動を停止する第１の撮影モードと、前記撮像部と前記撮影光学系との前記並進移動を許容して、前記被写体結像位置調整部を作動させる第２の撮影モードとを切り替えるモード切替部を備えることとしてもよい。
【００１１】
このようにすることで、第１の撮影モードにおいては、撮像部および前記撮影光学系の位置が固定され、被写体結像位置調整部の作動が停止されるので、画像内における被写体の位置が固定され、撮影者はそれを確認しながらレリーズボタンを押すことができる。したがって、撮影者の意図した構図やアングルの画像をより確実に取得することができる。
【００１２】
一方、第２の撮影モードにおいては、撮影者は、画像内における被写体の位置を確認せずに直感に従って撮影光学系の光軸を被写体に合わせて撮影を行う。この場合に、モード切替部が第２のモードに切り替えられることにより被写体結像位置調整部が作動させられるので、撮影光学系の光軸が被写体に正確に一致していなくても、被写体が適正な位置に配置された画像を取得することが可能となる。
【００１３】
また、上記発明においては、前記撮像部により取得された画像を表示する表示部を備え、前記第２の撮影モードにおいて、前記表示部への前記画像の表示を停止することとしてもよい。
第２の撮影モードにおいては被写体結像位置調整部を作動させるので、撮影者が表示部により画像内の被写体の位置を確認することなく撮影しても、被写体を画像内の適正な位置に配置することができる。したがって、表示部への画像の表示を停止して消費電力の低減を図ることができる。
【００１４】
また、上記発明においては、前記被写体検出部が、前記撮像部により取得された画像データを処理して被写体を検出することとしてもよい。画像処理によれば、特別なセンサ等を用いることなく被写体を検出でき被写体の大きさ等の付随的な情報をも取得することが可能となる。
【００１５】
また、上記発明においては、前記被写体検出部が、前記画像データのコントラスト値により被写体を検出することとしてもよい。コントラストの高い部分に焦点が合ってるので、その位置を被写体として検出することで、鮮明な被写体が適正な位置に配置された画像を取得することができる。
【００１６】
また、上記発明においては、前記被写体検出部が、前記画像データに基づく顔認識処理により被写体を検出することとしてもよい。
このようにすることで、顔認識処理により画像データ中に人物あるいは動物の顔と認識される部分が存在すれば、その部分を被写体として検出することで、被写体が適正な位置に配置されたポートレート画像あるいは動物画像を取得することができる。
【００１７】
また、上記発明においては、前記被写体検出部が、前記画像データに基づく動体認識処理により被写体を検出することとしてもよい。
このようにすることで、動体認識処理により画像データ中に存在する動きのある部分を被写体として検出することができ、動く被写体が適正な位置に配置された画像を取得することができる。
【００１８】
また、上記発明においては、前記被写体検出部が、測距用センサアレイに結像された像の位相差を検出する位相差検出部を備え、該位相差検出部による検出結果に基づいて被写体を検出することとしてもよい。オートフォーカスにおける位相差検出方式を利用して、検出された位相差に基づいて測距用センサアレイの各センサに対応する位置に配置された被写体を検出することができる。
【００１９】
また、本発明は、被写体の像を結像させる撮影光学系と、該撮影光学系により結像された被写体の像を撮像する撮像部と、被写体を検出する被写体検出部と、該被写体検出部により検出された被写体を前記撮像部により取得される画像内の所定位置に配置する被写体位置調整部とを備え、該被写体結像調整部が、取得された画像から、前記被写体検出部により検出された被写体を含む部分画像を切り出すことにより、被写体を画像内の所定位置に配置するカメラを提供する。
本発明によれば、特別な機構を設けることなく画像処理のみによって被写体を適正な位置に配置した画像を簡易に取得することが可能となる。
【００２０】
また、上記発明においては、前記被写体検出部により検出された被写体の大きさを算出する被写体サイズ算出部を備え、前記被写体位置調整部が、前記被写体サイズ算出部により算出された被写体の大きさに応じて前記画像から切り出す部分画像の大きさを決定することとしてもよい。
このようにすることで、被写体サイズ算出部の作動により画像内における被写体の大きさが算出され、被写体の大きさに合わせて切り出される部分画像の大きさが決定される。したがって、画像内の被写体の大きさが変化してもそれに応じて切り出す部分画像の大きさを変化させて、適正な位置に被写体を含む画像を取得することができる。
【発明の効果】
【００２１】
本発明によれば、撮影者が被写体から視線を逸らすことなく、被写体側から撮影者の視線や表情が見える状態で撮影し、被写体のより自然な表情や動作を撮影することができ、また、斬新なアングルからの画像を容易に取得することができるという効果を奏する。
【発明を実施するための最良の形態】
【００２２】
本発明の第１の実施形態に係るカメラ１について、図１〜図５を参照して以下に説明する。
本実施形態に係るカメラ１は、図１，図４および図５に示されるように、カメラ本体２と、該カメラ本体２に固定され被写体Ａの像を結像させるレンズユニット（撮影光学系）３と、該レンズユニット３により結像された被写体の像を電気的な画像データＧに変換するＣＣＤ（撮像部）４と、ＣＣＤ４により取得された画像データＧを処理して被写体Ａを検出する画像処理部（被写体検出部）５と、該画像処理部５により検出された被写体Ａを画枠Ｆ内の所定位置に配置する画枠調整部（被写体結像位置調整部）６とを備えている。
【００２３】
カメラ本体２には、図２に示されるように、ＣＣＤ４により取得された画像データＧを表示する液晶ディスプレイ（表示部）７と、被写体Ａに対する画枠Ｆを撮影者に提示するファインダ８と、ＣＣＤ４により取得されている画像データＧを静止画像として保持するためのレリーズ指令を出力するレリーズボタン９とが備えられている。
【００２４】
レンズユニット３は、レンズ鏡筒３ａ内に配置された複数枚のレンズ３ｂを備え、これらのレンズ３ｂを介して被写体Ａの像をＣＣＤ４の撮像面に結像させるようになっている。レンズユニット３により結像可能な撮影範囲Ｐは、レンズ鏡筒３ａの開口部や、レンズユニット３内に配置された絞り部材３ｃの開口部等により、図２に破線で示す範囲に制限されている。
【００２５】
前記ＣＣＤ４は、正方配列された複数の画素（図示略）を備え、各画素に結像された被写体Ａの像を、画素毎に電気的な画像信号に変換するようになっている。本実施形態においては、ＣＣＤ４の撮像面は、図１に鎖線で示すように、前記レンズユニット３により結像可能な撮影範囲Ｐよりも狭い撮影範囲Ｑを備えている。
【００２６】
前記画像処理部５は、後述する第１の撮影モードでの撮影時には、ＣＣＤ４により取得された画像データＧをそのまま、あるいは、所定の画像補正処理を施して液晶ディスプレイ７に出力するようになっている。
また、画像処理部５は、後述する第２の撮影モードでの撮影時には、ＣＣＤ４から出力された画像データＧを処理することにより、画像データＧ内において被写体Ａを検出するようになっている。
【００２７】
画像処理部５は、例えば、被写体Ａが人間や動物の場合には、目や顔を認識する顔認識処理を行うことにより、画像データＧ内の被写体Ａを検出することができる。画像処理部５は、被写体Ａを検出した後に、検出された被写体Ａの位置データＨを、例えば、検出した被写体Ａの画像の重心位置を算出することにより求めて前記画枠調整部６に出力するようになっている。
【００２８】
前記画枠調整部６は、図１に示されるように、前記画像処理部５から送られてくる被写体Ａの位置データＨに応じて駆動されるモータ６ａと、該モータ６ａにより回転駆動される送りネジ６ｂと、該送りネジ６ｂによりその長手方向に直線移動させられるスライダ６ｃとを備えている。スライダ６ｃには前記ＣＣＤ４が取り付けられている。
【００２９】
本実施形態においては、送りネジ６ｂは、カメラ１の幅方向に沿って配置されている。したがって、モータ６ａの駆動により送りネジ６ｂが回転させられると、送りネジ６ｂの回転量に応じた距離だけスライダ６ｃがカメラ本体２の幅方向に直線移動させられる結果、ＣＣＤ４がカメラ本体２の幅方向に並進移動させられるようになっている。
【００３０】
画像処理部５からは、被写体Ａの重心位置を示す位置データＨが出力されてくるので、モータ６ａは、例えば、画枠Ｆのほぼ中心位置（あるいは３分割法に基づく縦横線の交点位置等）のような所定位置に、被写体Ａの重心位置が配置されるように、ＣＣＤ４を並進移動させるようになっている。
【００３１】
ここで、カメラ１の撮影状態について説明する。
カメラ１の撮影状態としては、図２に示されるような第１の撮影モードと、図３に示されるような第２の撮影モードとがある。第１の撮影モードは、撮影者が、カメラ本体２の背面に設けられた液晶ディスプレイ７やファインダ８を見ながら撮影する撮影状態である。このとき、撮影者は、図２に示されるように、両手でカメラ本体２を保持し、右手の人差し指でレリーズボタン９を押すようになる。したがって、レリーズボタン９は、右手の人差し指で押しやすいようにカメラ本体２の右肩に配置されている。
【００３２】
撮影者の右手の親指は、カメラ本体２の下面を支持し、右手の他の指は、カメラ本体２の前面（レンズユニット３側の面）に軽く添えられる。同様に、撮影者の左手は、人差し指と親指とでカメラ本体２を上下に挟み、他の指をカメラ本体２の前面に軽く添える。この姿勢が、第１の撮影モードにおける正しい撮影姿勢であり、レリーズボタン９を押下する際におけるカメラ本体２の上下動を低減して、ブレの少ない画像を取得することができるようになっている。
【００３３】
なお、第１の撮影モードの変形として、右手のみでカメラ本体２を把持して行う撮影状態も考えられる。この場合、カメラ本体２を把持している右手の人差し指でレリーズボタン９を押すので、カメラ本体２が上下動する可能性が高くなるので、手ぶれ補正等の補正機能が必要となる。
【００３４】
一方、第２の撮影モードは、撮影者が、液晶ディスプレイ７やファインダ８を見ることなく撮影する撮影状態である。このとき、撮影者は、図３に示されるように、右手のみでカメラ本体２を保持する。この場合に、レリーズボタン９は、ちょうど右手の親指が配置される位置にあり、撮影者は右手の親指でレリーズボタン９を押すようになる。この第２の撮影モードでは、撮影者の右手の掌が、カメラ本体２の背面に設けられた液晶ディスプレイ７やファインダ８を覆うように配置されるので、液晶ディスプレイ７やファインダ８は実質的に機能しなくなる。
【００３５】
第１の撮影モードと第２の撮影モードとの切り替えは、図示しないスイッチによって行うこととしてもよく、また、撮影状態の相違を検出する図示しないセンサの出力に基づいて行うことにしてもよい。
【００３６】
このように構成された本実施形態に係るカメラ１の作用について説明する。
本実施形態に係るカメラ１を用いて被写体Ａの撮影を行うには、第１の撮影モードまたは第２の撮影モードを選択する。撮影モードの選択は、スイッチ操作により、またはセンサ出力により行われる。
【００３７】
第１の撮影モードで撮影するには、撮影者は、図２に示されるように、両手で、あるいは右手のみでカメラ本体２を把持し、カメラ本体２の背面に設けられた液晶ディスプレイ７やファインダ８を見ながら撮影を行う。レンズユニット３およびＣＣＤ４を介して連続的に取得された画像データＧが、画像処理部５に送り続けられ、画像処理部５は、送られてきた画像データＧをそのまま液晶ディスプレイ７に送る。これにより、液晶ディスプレイ７にはレンズユニット３およびＣＣＤ４を介して得られた画像データＧが表示されている。
【００３８】
したがって、被写体Ａおよび背景を、ＣＣＤ４の撮影範囲Ｑあるいは液晶ディスプレイ７の枠によって決定された画枠Ｆとともに表示することにより、画枠Ｆに対して被写体Ａの位置を適当に配置した構図を確認しながら撮影を行うことができる。同様に、ファインダ８によっても、該ファインダ８の開口部によって決定される画枠Ｆとの関係で被写体Ａの位置を確認することができる。
その結果、撮影者は第１の撮影モードで撮影することにより、思い通りの構図に設定された画像を取得することができる。
【００３９】
その反面、第１の撮影モードで撮影する場合には、撮影者の視線が液晶ディスプレイ７やファインダ８に向かうため、被写体Ａ側から見て、撮影者と視線が合わず、あるいは、撮影者の顔がカメラ本体２によって遮られて見えない状態となる。その結果、被写体Ａが人間や動物である場合に、撮影されていることを意識させてしまい、自然な表情や動作を撮影することができない場合がある。
【００４０】
これに対して、第２の撮影モードで撮影するには、撮影者は、図３に示されるように、右手でカメラ本体２を把持し、カメラ本体２の背面に設けられた液晶ディスプレイ７やファインダ８を機能させることなく撮影を行う。
この場合に、第２の撮影モードが選択されると、画像処理部５が、ＣＣＤ４から出力された画像データＧを処理することにより被写体Ａを検出する。そして、画像処理部５は、検出した被写体Ａの重心位置を算出し、その位置データＨを画枠調整部６に出力する。画枠調整部６は、入力された位置データＨに基づいて、モータ６ａを作動させ、送りネジ６ｂおよびスライダ６ｃを介して、被写体Ａの重心位置が画枠Ｆのほぼ中心位置に配置されるようにＣＣＤ４を並進移動させる。
【００４１】
例えば、図４（ａ）に示されるように、被写体Ａに対して大まかにレンズユニット３を向けた状態にカメラ１を合わせると、図４（ｂ）に示されるように、被写体Ａが画枠Ｆに対して中心からずれた位置に配置されることになる。この場合には、図５（ａ）に示されるように、モータ６ａの作動により、送りネジ６ｂおよびスライダ６ｃを介して、ＣＣＤ４を並進移動させることにより、図５（ｂ）に示されるように、被写体Ａを画枠Ｆ内のほぼ中央に配置した画像Ｇを取得することができる。
【００４２】
すなわち、第２の撮影モードによる撮影では、液晶ディスプレイ７やファインダ８を実質的に機能させないので、撮影者が被写体Ａに対する画枠Ｆの位置を確認しながら撮影することができない。しかしながら、本実施形態に係るカメラ１によれば、カメラ１を構えたときに画枠Ｆ内に捕らえられた被写体Ａを画像処理部５における画像処理により検出し、検出された被写体Ａの重心位置が画枠Ｆ内のほぼ中心位置に配置されるようにＣＣＤ４が並進移動させられる。したがって、撮影者は、カメラ１のレンズユニット３を被写体Ａ側に大まかに向けるだけで、画枠Ｆに対する被写体Ａの位置を確認しなくても、ほぼ適正な位置に被写体Ａを配置した画像Ｇを取得することが可能となる。
【００４３】
そして、本実施形態に係るカメラ１によれば、第２の撮影モードにおいて、画枠Ｆに対する被写体Ａの位置を確認しなくても、ほぼ適正な位置に被写体Ａを配置した画像Ｇを取得でき、撮影者が視線を被写体Ａから外すことなく、かつ、被写体Ａ側と撮影者とが視線を合わせた状態で撮影を行うことができる。その結果、被写体Ａが人物や動物である場合には、被写体Ａに撮影を意識させることなく、自然な表情や動作を撮影できるという利点がある。
【００４４】
また、第２の撮影モードにおいては、画枠Ｆに対する被写体Ａの位置を確認しない撮影を可能とするので、被写体Ａの種類にかかわらず、地上すれすれから見上げるアングル、高く延ばした手から見下ろすアングル、あるいは、狭いところに手を差し入れて撮影するアングル等、斬新なアングルの画像データＧを取得できる。そして、その場合に、被写体Ａを画枠Ｆ内の適正な位置に配置することができる。
【００４５】
なお、本実施形態に係るカメラ１においては、画枠調整部６として、ＣＣＤ４を並進移動させるモータ６ａ、送りネジ６ｂおよびスライダ６ｃを備えるものを例示したが、これに限定されるものではなく、並進駆動機構は任意に構成することができる。また、ＣＣＤ４を並進移動させるのに代えて、図６および図７に示されるように、ＣＣＤ４に対してレンズユニット３を並進移動させることとしてもよい。
【００４６】
例えば、図６（ａ），（ｂ）に示されるように、画枠Ｆ内の被写体Ａ位置が検出されたときには、図７（ａ）に示されるように、ＣＣＤ４の場合とは逆方向にレンズユニット３を並進移動させる。これにより、ＣＣＤ４による撮影範囲Ｑを変化させて、図７（ｂ）に示されるように、画枠Ｆ内の適正な位置に被写体Ａを配置した画像Ｇを取得することができる。
【００４７】
また、図８および図９に示されるように、レンズユニット３の撮影範囲Ｐに比較して、ＣＣＤ４が大きくなるように、サイズの大きなＣＣＤ４を採用し、ＣＣＤ４に対してレンズユニット３を相対的に並進移動させることで、被写体Ａの像の結像範囲を移動させて、被写体Ａを画枠Ｆ内の適正な位置に配置することにしてもよい。なお、レンズユニット３に対してＣＣＤ４を並進移動させることにしてもよい。
【００４８】
さらに、図１０に示されるように、画枠調整部（被写体位置調整部）を画像処理部５により実現することにしてもよい。すなわち、図１０（ａ）に示されるように、ＣＣＤ４の撮影範囲Ｑとレンズユニット３の撮影範囲Ｐとが一致するＣＣＤ４およびレンズユニット３を選択し、図１０（ｂ）に示されるように、ＣＣＤ４によって取得された画像データＧを画像処理部５に入力する。画像処理部５においては、画像処理により、被写体Ａを認識してその重心位置が算出されるとともに、該被写体Ａの周囲に適正な大きさの画枠Ｆを有する部分画像データＧ１が切り出されるようになっている。
【００４９】
これにより、撮影者は、レンズユニット３を大まかに被写体Ａに向けるだけで、画枠Ｆ内の適正な位置に被写体Ａが配置された画像Ｇ１を取得することができる。
また、画像処理部５においては、検出した被写体Ａのサイズを算出し、そのサイズに合わせて切り出す画枠Ｆの大きさを選択することにしてもよい。これにより、画像データＧ内の被写体Ａの大きさが変化してもそれに応じて画枠Ｆの大きさを変化させて、適正な画枠Ｆ内に被写体を含む部分画像データＧ１，Ｇ２，Ｇ３を取得することができるという利点がある。
【００５０】
また、本実施形態においては、ＣＣＤ４により取得された画像データＧを顔認識処理することにより、被写体Ａを検出することとしたが、これに代えて、コントラスト値により被写体Ａを検出することとしてもよい。この場合、カメラ１にはオートフォーカス機能が備えられていることが必要であり、オートフォーカス機能により、ピントが合った領域におけるコントラスト値が高いことを利用して、被写体Ａを検出することができる。
【００５１】
また、これに代えて、動体認識処理により被写体Ａを検出することとしてもよい。動体認識処理は、短い時間間隔をあけて取得された２つの画像データＧを比較し、画素値が変化している領域を動体として認識することにより、認識された動体を被写体Ａとして検出することができる。
【００５２】
また、本実施形態においては、ＣＣＤ４により取得された画像データＧを画像処理することにより被写体Ａを認識する場合について説明したが、これに代えて、図１１に示されるように、オートフォーカス機能に用いられる位相差検出方式により、被写体Ａを検出することとしてもよい。
【００５３】
すなわち、図１１（ａ）に示されるように、レンズユニット３により集光した被写体Ａからの光を分岐するハーフミラー１０と、該ハーフミラー１０により分岐された光を結像させる集光レンズ１１と、該集光レンズ１１により集光された光を検出する測距用センサアレイ１２とを備えている。また、画像処理部５′は、該測距用センサアレイ１２に結像された像の位相差を検出する位相差検出部として機能する。そして、画像処理部５′は、検出された像の位相差に基づいて、画像データＧ内の合焦した領域Ｒを特定するようになっている。
【００５４】
図中符号１３は、ＣＣＤ４を光軸方向に移動させる合焦機構である。例えば、合焦機構１３の作動によりＣＣＤ４を光軸方向に移動させる間に、最初に合焦した領域Ｒを被写体Ａ位置として認識することとすればよい。
【００５５】
このように構成することで、例えば、図１１（ｂ）に示されるように、画像データＧ上の複数の測距用領域Ｒの内、被写体Ａの配置されている測距用領域Ｒを容易に検出することができ、これにより被写体Ａを検出することができる。
なお、カメラ１から同等の距離に２以上の被写体Ａが存在する場合には、複数の測距用領域Ｒが検出されることとなるが、この場合には、検出された測距用領域Ｒ間の中点を被写体Ａ位置として特定し、画枠調整部６を作動させることにより、全ての被写体Ａを画枠Ｆ内の適正な位置に配置した画像Ｇを取得することができる。
【００５６】
また、本実施形態においては、カメラ本体２の幅方向にＣＣＤ４またはレンズユニット３を移動させる場合について説明したが、これに代えて、図１２に示されるように、互いに直交する２つの送りネジ６ｂを別個のモータ６ａにより駆動する画枠調整部６を採用することにしてもよい。これにより、カメラ本体２の幅方向および高さ方向に、２次元的にＣＣＤ４を位置調整することができる。図中、符号１４はスライダ、符号１５はスライダ６ｃ，１４のスムーズな移動を支持するガイドシャフトである。
また、同様の機構により、ＣＣＤ４に代えて、レンズユニット３を２次元的に移動させることとしてもよい。
【００５７】
また、本実施形態においては、液晶ディスプレイ７やファインダ８等の画枠提示部を備え、該画枠提示部を機能させる第１の撮影モードと、画枠提示部を機能させない第２の撮影モードとを切り替えて使用するカメラ１について説明したが、これに代えて、画枠提示部を有さず、第２の撮影モードによる撮影のみが可能なカメラに適用することにしてもよい。
【図面の簡単な説明】
【００５８】
【図１】本発明の一実施形態に係るカメラを示す模式的な全体構成図である。
【図２】図１のカメラを用いた第１の撮影モードによる撮影状態を示す図である。
【図３】図１のカメラを用いた第２の撮影モードによる撮影状態を示す図である。
【図４】図１のカメラを第２の撮影モードにおいて被写体に向けた状態を示す図であり、（ａ）被写体とカメラとの位置関係および（ｂ）画像例を示す図である。
【図５】図４の状態から、被写体結像位置調整部が作動して、画像内の被写体の位置が調整された状態を示す図であり、（ａ）被写体とカメラとの位置関係および（ｂ）画像例を示す図である。
【図６】図１のカメラの第１の変形例であって、第２の撮影モードにおいて被写体に向けた状態を示す図であり、（ａ）被写体とカメラとの位置関係および（ｂ）画像例を示す図である。
【図７】図６の状態から、被写体結像位置調整部が作動して、画像内の被写体の位置が調整された状態を示す図であり、（ａ）被写体とカメラとの位置関係および（ｂ）画像例を示す図である。
【図８】図１のカメラの第２の変形例であって、第２の撮影モードにおいて被写体に向けた状態を示す図であり、（ａ）被写体とカメラとの位置関係および（ｂ）画像例を示す図である。
【図９】図８の状態から、被写体結像位置調整部が作動して、画像内の被写体の位置が調整された状態を示す図であり、（ａ）被写体とカメラとの位置関係および（ｂ）画像例を示す図である。
【図１０】図１のカメラの第３の変形例であって、第２の撮影モードにおいて被写体に向けた状態を示す図であり、（ａ）被写体とカメラとの位置関係および（ｂ）画像例を示す図である。
【図１１】図１のカメラの第４の変形例であって、第２の撮影モードにおいて被写体に向けた状態を示す図であり、（ａ）被写体とカメラとの位置関係および（ｂ）画像例を示す図である。
【図１２】図１のカメラの被写体結像位置調整部の変形例を示す斜視図である。
【符号の説明】
【００５９】
Ａ  被写体
Ｆ  画枠
Ｇ  画像データ（画像）
Ｇ１，Ｇ２，Ｇ３  部分画像データ（部分画像）
１  カメラ
３  レンズユニット（撮影光学系）
４  ＣＣＤ（撮像部）
５  画像処理部（被写体検出部、被写体サイズ算出部）
５′  画像処理部（位相差検出部：被写体検出部）
６  画枠調整部（被写体結像位置調整部、被写体位置調整部）
６ａ  モータ（シフト機構）
６ｂ  送りネジ（シフト機構）
６ｃ  スライダ（シフト機構）
７  液晶ディスプレイ（表示部）
１２  測距用センサアレイ
【図１】
2008083074.tif 000003
【図２】
2008083074.tif 000004
【図３】
2008083074.tif 000005
【図４】
2008083074.tif 000006
【図５】
2008083074.tif 000007
【図６】
2008083074.tif 000008
【図７】
2008083074.tif 000009
【図８】
2008083074.tif 000010
【図９】
2008083074.tif 000011
【図１０】
2008083074.tif 000012
【図１１】
2008083074.tif 000013
【図１２】
2008083074.tif 000014